(57)【要約】【課題】機能水の無駄な吐水を抑制しながら、ボウル部を清潔に保つことができる洗面台を提供する。【解決手段】本発明は、水道水及び除菌作用を有する機能水を吐出可能な洗面台(1)であって、排水口(2a)を有するボウル部(2)と、このボウル部に水道水を吐出させるための第１の吐水部(4a)と、ボウル部に除菌作用を有する機能水を吐出させるための第２の吐水部(4b)と、この第２の吐水部からの吐水、止水を切り換えるための機能水用電磁弁(30)と、第１の吐水部からの吐水終了後、機能水用電磁弁を開弁させ、第２の吐水部からの吐水を実行する制御部(40)と、を有し、制御部は、第１の吐水部からの吐水開始後、又は第１の吐水部からの吐水終了後、所定の作業相当時間に亘って作業待ち工程を実行した後、第２の吐水部からの吐水を実行することを特徴としている。【選択図】図４
2018084137.tif 000002
【特許請求の範囲】
【請求項１】
水道水及び除菌作用を有する機能水を吐出可能な洗面台であって、
排水口を有するボウル部と、
このボウル部に水道水を吐出させるための第１の吐水部と、
上記ボウル部に除菌作用を有する機能水を吐出させるための第２の吐水部と、
この第２の吐水部からの吐水、止水を切り換えるための機能水用電磁弁と、
上記第１の吐水部からの吐水終了後、上記機能水用電磁弁を開弁させ、上記第２の吐水部からの吐水を実行する制御部と、を有し、
上記制御部は、上記第１の吐水部からの吐水開始後、又は上記第１の吐水部からの吐水終了後、所定の作業相当時間に亘って作業待ち工程を実行した後、上記第２の吐水部からの吐水を実行することを特徴とする洗面台。
【請求項２】
さらに、上記第１の吐水部からの吐水、止水を切り換えるための水道水用電磁弁と、上記第１の吐水部への被検知物の接近を検知する接近センサと、を有し、上記制御部は、上記接近センサによって被検知物の接近が検知されている間、上記水道水用電磁弁を開弁させ、水道水を吐出させるように構成され、上記制御部は、上記第１の吐水部が止水状態から吐水状態に変化したとき、上記作業待ち工程を開始する請求項１記載の洗面台。
【請求項３】
上記作業待ち工程を実行する上記作業相当時間は、５分乃至６０分の間の時間に設定されている請求項１又は２に記載の洗面台。
【請求項４】
上記制御部は、上記作業待ち工程の実行中において、上記第１の吐水部が止水状態に移行し、その後、再び吐水状態に変化した場合であっても、上記作業待ち工程を再実行することなく、実行中の上記作業待ち工程が終了した後、上記第２の吐水部からの吐水を実行する請求項２又は３に記載の洗面台。
【請求項５】
上記制御部は、上記作業待ち工程の実行中において、止水状態に移行し、その後、再び吐水状態に変化した場合には、上記作業待ち工程を再実行し、実行中の上記作業待ち工程が終了した後、上記第２の吐水部からの吐水を実行する請求項２又は３に記載の洗面台。
【請求項６】
さらに、上記第１の吐水部からの吐水、止水を切り換えるための水道水用電磁弁と、上記第１の吐水部への被検知物の接近を検知する接近センサと、を有し、上記制御部は、上記接近センサによって被検知物の接近が検知されている間、上記水道水用電磁弁を開弁させ、水道水を吐出させるように構成され、上記制御部は、上記第１の吐水部が吐水状態から止水状態に変化したとき、上記作業待ち工程を開始する請求項１記載の洗面台。
【請求項７】
上記作業待ち工程を実行する上記作業相当時間は、５分乃至６０分の間の時間に設定されている請求項６記載の洗面台。
【請求項８】
上記制御部は、上記作業待ち工程の実行中において、上記第１の吐水部が吐水状態に移行し、その後、再び止水状態に変化した場合であっても、上記作業待ち工程を再実行することなく、実行中の上記作業待ち工程が終了した後、上記第２の吐水部からの吐水を実行する請求項６又は７に記載の洗面台。
【請求項９】
上記制御部は、上記作業待ち工程の実行中において、吐水状態に移行し、その後、再び止水状態に変化した場合には、上記作業待ち工程を再実行し、実行中の上記作業待ち工程が終了した後、上記第２の吐水部からの吐水を実行する請求項６又は７に記載の洗面台。
【請求項１０】
上記制御部は、上記作業待ち工程の終了時において、上記第１の吐水部が吐水状態である場合には、上記第１の吐水部が止水状態となった後、上記第２の吐水部からの吐水を実行する請求項２乃至８の何れか１項に記載の洗面台。
【請求項１１】
上記制御部は、上記作業待ち工程の終了後に、上記第１の吐水部が止水状態となった場合には、所定の待機時間の経過を待って上記第２の吐水部からの吐水を開始させる請求項１０記載の洗面台。
【請求項１２】
上記制御部は、上記第２の吐水部からの吐水中に、上記第１の吐水部が止水状態から吐水状態に移行した場合には、上記第２の吐水部からの吐水を停止させ、上記第１の吐水部が止水状態となった後、再び上記第２の吐水部からの吐水を開始させる請求項２乃至８及び請求項１０及び１１の何れか１項に記載の洗面台。
【発明の詳細な説明】
【技術分野】
【０００１】
本発明は洗面台に関し、特に、水道水及び除菌作用を有する機能水を吐出可能な洗面台に関する。
【背景技術】
【０００２】
水道水を電気分解して得られる電解水等の、除菌作用を有する機能水を吐出する機能を備えた洗面台が知られている。このような洗面台においては、使用者が洗面や、手洗い等に洗面台を使用した後、除菌作用を有する機能水が洗面ボウル内に噴霧される。即ち、使用者が洗面台を使用することにより、手洗い等で洗い流された雑菌が洗面ボウルに付着し、この雑菌が洗面ボウルのボウル面や、排水口で繁殖することがないよう、使用者による洗面台の使用後、機能水が洗面ボウル内に噴霧される。
【０００３】
特開２０１６−１０８７３３号公報（特許文献１）には、被検知物を検知すると自動で吐水する自動水栓装置が記載されている。この自動水栓装置においては、被検知物が検知されると、機能水を所定時間手洗いボウルに噴霧した後、水道水の吐水を開始させる。その後、被検知物が検知されなくなると、水道水の吐水を停止させ、その３秒後に再び機能水を所定時間手洗いボウルに噴霧する。これにより、手洗いボウルのボウル面や、排水口に雑菌が繁殖するのを防止している。
【先行技術文献】
【特許文献】
【０００４】
【特許文献１】特開２０１６−１０８７３３号公報
【発明の概要】
【発明が解決しようとする課題】
【０００５】
ここで、例えば、洗面台で歯を磨く場合には、まず、歯ブラシを少量の水で濡らし、次いで、うがいをするための水をコップに入れる。さらに、歯ブラシで歯を磨いた後、うがいをすると共に口の周囲をすすぎ、最後に歯ブラシや、うがいをしたコップを水ですすぐ。このように、使用者が歯を磨くために洗面台を使用するだけでも、水道水の吐水及び停止が何度も繰り返されることになる。洗面台の実使用を考えた場合、髭剃りを濡らす、髭剃りを洗浄する、顔を洗う、コンタクトレンズを洗う等、このような水道水の吐水及び停止を頻繁に繰り返す使用行為は極めて多い。
【０００６】
このように、使用者による１回の洗面台の使用で、何度も繰り返される水道水の吐水、停止の度に除菌作用を有する機能水を吐水したのでは、洗面ボウルを除菌するために多くの機能水が必要となり、節水の観点からは好ましくないという問題がある。また、上記の動作の中で、特に、歯ブラシを少量の水で濡らす作業等では、これにより洗面ボウルに多くの雑菌が付着することは考えにくい。さらに、歯磨き開始時に歯ブラシを水で濡らした直ぐ後にも、歯ブラシ及びコップを洗浄する動作などで何度も水道水の吐水が、繰り返されるので、このような作業の後に吐出された機能水による洗面ボウルへの除菌の効果は、次動作による水道水の吐水によって殆ど無駄になってしまう。また、除菌作用を有する機能水を、水道水を電解することにより生成している場合には、電解に使用する電極が無駄に消耗されてしまい、電極の寿命が短くなるという問題がある。
【０００７】
本発明は、上記のような問題を解決するために為されたものであり、機能水の無駄な吐水を抑制しながら、ボウル部を清潔に保つことができる洗面台を提供することを目的としている。
【課題を解決するための手段】
【０００８】
上述した課題を解決するために、本発明は、水道水及び除菌作用を有する機能水を吐出可能な洗面台であって、排水口を有するボウル部と、このボウル部に水道水を吐出させるための第１の吐水部と、ボウル部に除菌作用を有する機能水を吐出させるための第２の吐水部と、この第２の吐水部からの吐水、止水を切り換えるための機能水用電磁弁と、第１の吐水部からの吐水終了後、機能水用電磁弁を開弁させ、第２の吐水部からの吐水を実行する制御部と、を有し、制御部は、第１の吐水部からの吐水開始後、又は第１の吐水部からの吐水終了後、所定の作業相当時間に亘って作業待ち工程を実行した後、第２の吐水部からの吐水を実行することを特徴としている。
【０００９】
このように構成された本発明においては、水道水が第１の吐水部から、排水口を有するボウル部に吐出される。一方、制御部は、機能水用電磁弁を制御して、第２の吐水部からの除菌作用を有する機能水の吐水、停止を切り換える。さらに、制御部は、第１の吐水部からの吐水開始後、又は第１の吐水部からの吐水終了後、所定の作業相当時間に亘って作業待ち工程を実行した後、第２の吐水部からの吐水を実行する。
【００１０】
このように構成された本発明によれば、第１の吐水部からの吐水開始後、又は吐水終了後に、使用者による１回の洗面台の使用時間として想定した所定の作業相当時間に亘って作業待ち工程を実行した後、第２の吐水部からの吐水を実行する。この結果、使用者が洗面台を使用している途中で、第２の吐水部から機能水が吐出されるという状況を減らすことができる。即ち、使用者が洗面台を使用している途中で機能水が吐水されると、機能水の吐出の直後に再び第１の吐水部からの吐水が行われて、ボウル部に再び雑菌が付着してしまう可能性が高く、吐水した機能水が無駄になってしまう。本発明によれば、このような機能水の浪費を回避することができ、節水を実現しながら、ボウル部や排水口における雑菌の繁殖を効果的に抑制することができる。さらに、電解水を機能水とした場合には、電解水の浪費が抑制されるので、電解水を生成するための電極等の消耗や、無駄な電力の消費を抑制することができる。
【００１１】
本発明において、好ましくは、さらに、第１の吐水部からの吐水、止水を切り換えるための水道水用電磁弁と、第１の吐水部への被検知物の接近を検知する接近センサと、を有し、制御部は、第１の吐水部が止水状態から吐水状態に変化したとき、作業待ち工程を開始する。
【００１２】
このように構成された本発明によれば、第１の吐水部が止水状態から吐水状態に変化したとき作業待ち工程が開始され、作業待ち工程の終了を待った後、機能水の吐水が行われるので、例えば、手洗いの最初に手を水で濡らした直後や、歯磨きの最初に歯ブラシを水で濡らした直後に機能水が吐出されてしまい、機能水が無駄になるのを防止することができる。これにより、機能水の浪費を抑制しながら効果的に雑菌の繁殖を抑制することができる。
【００１３】
本発明において、好ましくは、作業待ち工程を実行する作業相当時間は、５分乃至６０分の間の時間に設定されている。
このように構成された本発明によれば、非検知状態から、検知状態に変化した後、作業相当時間として５分乃至６０分経過するのを待った後、機能水の吐水が実行されるので、使用者による１回の洗面台の使用が終了した後、機能水を吐出することができる確率を高くすることができる。
【００１４】
本発明において、好ましくは、制御部は、作業待ち工程の実行中において、第１の吐水部が止水状態に移行し、その後、再び吐水状態に変化した場合であっても、作業待ち工程を再実行することなく、実行中の作業待ち工程が終了した後、第２の吐水部からの吐水を実行する。
【００１５】
このように構成された本発明によれば、作業待ち工程の実行中において、第１の吐水部が止水状態に移行し、その後、再び吐水状態に変化した場合であっても、作業待ち工程を再実行することなく第２の吐水部からの吐水が実行される。このため、作業待ち工程を比較的長い時間に設定した場合であっても、作業待ち工程中に吐水や止水が行われることにより、作業待ち工程が何度も再実行され、機能水の吐水の頻度が著しく低下してしまうのを防止することができる。これにより、機能水の浪費を回避しながら、効果的に雑菌の繁殖を抑制することができる。
【００１６】
本発明において、好ましくは、制御部は、作業待ち工程の実行中において、止水状態に移行し、その後、再び吐水状態に変化した場合には、作業待ち工程を再実行し、実行中の作業待ち工程が終了した後、第２の吐水部からの吐水を実行する。
【００１７】
このように構成された本発明によれば、作業待ち工程の実行中において、止水状態に移行し、その後、再び吐水状態に変化した場合には、作業待ち工程が再実行される。このため、作業待ち工程を比較的短い時間に設定した場合であっても、使用者が１回の洗面台の使用を終了する前に機能水の吐水が実行されてしまい、機能水が浪費されるのを防止することができる。この結果、少量の機能水を使用して、効果的に雑菌の繁殖を抑制することができる。
【００１８】
本発明において、好ましくは、さらに、第１の吐水部からの吐水、止水を切り換えるための水道水用電磁弁と、第１の吐水部への被検知物の接近を検知する接近センサと、を有し、制御部は、接近センサによって被検知物の接近が検知されている間、水道水用電磁弁を開弁させ、水道水を吐出させるように構成され、制御部は、第１の吐水部が吐水状態から止水状態に変化したとき、作業待ち工程を開始する。
【００１９】
このように構成された本発明によれば、第１の吐水部が吐水状態から止水状態に変化したとき作業待ち工程が開始され、作業待ち工程の終了を待った後、機能水の吐水が行われるので、例えば、手洗いの最初に手を水で濡らした直後や、歯磨きの最初に歯ブラシを水で濡らした直後に機能水が吐出されてしまい、機能水が無駄になるのを防止することができる。これにより、機能水の浪費を抑制しながら効果的に雑菌の繁殖を抑制することができる。
【００２０】
本発明において、好ましくは、作業待ち工程を実行する作業相当時間は、５分乃至６０分の間の時間に設定されている。
このように構成された本発明によれば、検知状態から、非検知状態に変化した後、作業相当時間として５分乃至６０分経過するのを待って機能水の吐水が実行されるので、使用者による１回の洗面台の使用が終了した後、機能水を吐出することができる確率を高くすることができる。
【００２１】
本発明において、好ましくは、制御部は、作業待ち工程の実行中において、第１の吐水部が吐水状態に移行し、その後、再び止水状態に変化した場合であっても、作業待ち工程を再実行することなく、実行中の作業待ち工程が終了した後、第２の吐水部からの吐水を実行する。
【００２２】
このように構成された本発明によれば、作業待ち工程の実行中において、検知状態に移行し、その後、再び非検知状態に変化した場合であっても、作業待ち工程を再実行することなく第２の吐水部からの吐水が実行される。このため、作業待ち工程を比較的長い時間に設定した場合であっても、作業待ち工程中に吐水や止水が行われることにより、作業待ち工程が何度も再実行され、機能水の吐水の頻度が著しく低下してしまうのを防止することができる。これにより、機能水の浪費を回避しながら、効果的に雑菌の繁殖を抑制することができる。
【００２３】
本発明において、好ましくは、制御部は、作業待ち工程の実行中において、吐水状態に移行し、その後、再び止水状態に変化した場合には、作業待ち工程を再実行し、実行中の作業待ち工程が終了した後、第２の吐水部からの吐水を実行する。
【００２４】
このように構成された本発明によれば、作業待ち工程の実行中において、吐水状態に移行し、その後、再び止水状態に変化した場合には、作業待ち工程が再実行される。このため、作業待ち工程を比較的短い時間に設定した場合であっても、使用者が１回の洗面台の使用を終了する前に機能水の吐水が実行されてしまい、機能水が浪費されるのを防止することができる。この結果、少量の機能水を使用して、効果的に雑菌の繁殖を抑制することができる。
【００２５】
本発明において、好ましくは、制御部は、作業待ち工程の終了時において、第１の吐水部が吐水状態である場合には、第１の吐水部が止水状態となった後、第２の吐水部からの吐水を実行する。
【００２６】
このように構成された本発明によれば、作業待ち工程の終了時において、第１の吐水部が吐水状態である場合には、第１の吐水部が止水状態となった後、第２の吐水部からの吐水が実行されるので、第１の吐水部からの水と機能水が同時に吐水され、機能水が無駄に消費されるのを防止することができる。
【００２７】
本発明において、好ましくは、制御部は、作業待ち工程の終了後に、第１の吐水部が止水状態となった場合には、所定の待機時間の経過を待って第２の吐水部からの吐水を開始させる。
【００２８】
このように構成された本発明によれば、作業待ち工程の終了後に、第１の吐水部が止水状態となった場合には、所定の待機時間の経過を待って第２の吐水部からの吐水が開始されるので、使用者が第１の吐水部からの吐水を停止させた後、すぐに吐水を再開させた場合等に、不要な機能水が吐水されてしまうのを防止することができる。この結果、少量の機能水を使用して、効果的に雑菌の繁殖を抑制することができる。
【００２９】
本発明において、好ましくは、制御部は、第２の吐水部からの吐水中に、第１の吐水部が止水状態から吐水状態に移行した場合には、第２の吐水部からの吐水を停止させ、第１の吐水部が止水状態となった後、再び第２の吐水部からの吐水を開始させる。
【００３０】
このように構成された本発明によれば、第２の吐水部からの吐水中に、第１の吐水部が吐水状態となった場合には、第２の吐水部からの吐水が停止されるので、第１の吐水部からの水と機能水が同時に吐水され、機能水が無駄に消費されるのを防止することができる。また、第１の吐水部が止水された後、再び第２の吐水部からの吐水が開始されるので、確実に機能水の吐水が実行され、雑菌の繁殖を抑制することができる。
【発明の効果】
【００３１】
本発明の洗面台によれば、機能水の無駄な吐水を抑制しながら、ボウル部を清潔に保つことができる。
【図面の簡単な説明】
【００３２】
【図１】本発明の第１実施形態による洗面台全体の外観を示す斜視図である。
【図２】本発明の第１実施形態の洗面台に備えられた水栓装置ユニットを拡大して示す斜視図である。
【図３】本発明の第１実施形態の洗面台に備えられた水栓装置ユニットを斜め下方から見た斜視図である。
【図４】本発明の第１実施形態による洗面台における吐水系統を示すブロック図である。
【図５】本発明の第１実施形態の洗面台に備えられたコントローラによる機能水用電磁弁の制御フローチャートである。
【図６】本発明の第１実施形態の洗面台に備えられたコントローラによる制御の一例を示すタイムチャートである。
【図７】本発明の第１実施形態の洗面台に備えられたコントローラによる制御の他の例を示すタイムチャートである。
【図８】本発明の第１実施形態の洗面台に備えられたコントローラによる制御の他の例を示すタイムチャートである。
【図９】本発明の第２実施形態の洗面台に備えられたコントローラによる制御の一例を示すタイムチャートである。
【図１０】本発明の第２実施形態の洗面台に備えられたコントローラによる制御の他の例を示すタイムチャートである。
【図１１】本発明の第２実施形態の洗面台に備えられたコントローラによる制御の他の例を示すタイムチャートである。
【図１２】本発明の第３実施形態の洗面台に備えられたコントローラによる機能水用電磁弁の制御フローチャートである。
【図１３】本発明の第３実施形態の洗面台に備えられたコントローラによる制御の一例を示すタイムチャートである。
【図１４】本発明の第３実施形態の洗面台に備えられたコントローラによる制御の他の例を示すタイムチャートである。
【図１５】本発明の第３実施形態の洗面台に備えられたコントローラによる制御の他の例を示すタイムチャートである。
【図１６】本発明の第３実施形態の洗面台に備えられたコントローラによる制御の他の例を示すタイムチャートである。
【図１７】本発明の第３実施形態の洗面台に備えられたコントローラによる制御の他の例を示すタイムチャートである。
【図１８】本発明の第４実施形態の洗面台に備えられたコントローラによる機能水用電磁弁の制御フローチャートである。
【図１９】本発明の第４実施形態の洗面台に備えられたコントローラによる制御の一例を示すタイムチャートである。
【図２０】本発明の第４実施形態の洗面台に備えられたコントローラによる制御の他の例を示すタイムチャートである。
【図２１】本発明の第４実施形態の洗面台に備えられたコントローラによる制御の他の例を示すタイムチャートである。
【図２２】本発明の第４実施形態の洗面台に備えられたコントローラによる制御の他の例を示すタイムチャートである。
【図２３】本発明の変形実施形態の洗面台における、水栓装置の操作部を示す図である。
【発明を実施するための形態】
【００３３】
次に、添付図面を参照して、本発明の好ましい実施形態を説明する。
まず、図１乃至図４を参照して、本発明の第１実施形態による洗面台の全体構成を説明する。図１は、本発明の第１実施形態による洗面台全体の外観を示す斜視図である。図２は、本発明の第１実施形態の洗面台に備えられた水栓装置ユニットを拡大して示す斜視図である。図３は、水栓装置ユニットを斜め下方から見た斜視図である。図４は、本発明の第１実施形態による洗面台における吐水系統を示すブロック図である。
【００３４】
図１に示すように、本発明の第１実施形態による洗面台１は、ボウル部２と、このボウル部２の上方に配置された水栓装置ユニット４と、ボウル部２の下方に設けられ、ボウル部２を支持する下部キャビネット６と、水栓装置ユニット４の上方に配置された上部キャビネット８と、を有する。
【００３５】
ボウル部２は、水栓装置ユニット４から吐出された水道水を受けるように配置された概ね矩形の洗面ボウルであり、その中央、奥側に排水口２ａが設けられている。なお、本明細書において、「水道水」とは、水道事業者から提供される市水等ばかりでなく、洗面、手洗い等に使用する井戸水等を含むものとする。
【００３６】
水栓装置ユニット４は、ボウル部２の上方の壁面に取り付けられた直方体状のユニットであり、その下面に設けられた第１の吐水部４ａからボウル部２へ向けて水道水を吐出する自動水栓が内蔵されている。水栓装置ユニット４の詳細な機能、構造については後述する。
【００３７】
下部キャビネット６は、ボウル部２の下方に配置され、ボウル部２を支持するキャビネットであり、２段の引き出しが設けられている。また、下部キャビネット６の内部には、水道水の吐水、停止を切り換える電磁弁等の機器が収納されている。下部キャビネット６に収納されている機器の詳細については後述する。
上部キャビネット８は、水栓装置ユニット４よりも上方の壁面に設けられた薄型のキャビネットであり、その前面には、鏡が取り付けられている。
【００３８】
次に、図２及び図３を参照して、水栓装置ユニット４の構成を説明する。
図２に示すように、水栓装置ユニット４には、第１の吐水部４ａと、第２の吐水部４ｂと、流調・温調バルブ１０と、操作スイッチ１２と、タッチスイッチ１４と、照明用ＬＥＤ１６と、が備えられている。
【００３９】
第１の吐水部４ａは、水栓装置ユニット４の下面中央に、斜め前方に向けて設けられた円筒状の部材からなり、洗面、手洗い等に使用する水道水を、ボウル部２に向けて吐出するように構成されている。また、第１の吐水部４ａの前側側面には接近センサ１８が設けられており、手指等の被検知物の、第１の吐水部４ａへの接近を検知するように構成されている。本実施形態においては、接近センサ１８は、赤外線式のセンサであり、第１の吐水部４ａに接近した手指等により反射された赤外線を検出して、手指等の接近を検知するように構成されている。接近センサとしては、赤外線式の他、マイクロ波式等、任意の非接触タイプのセンサを使用することができる。なお、本実施形態においては、第１の吐水部４ａはプルアウト式となっており、水栓装置ユニット４から引き出し可能に構成されている。
【００４０】
第２の吐水部４ｂは、第１の吐水部４ａの側方、近傍に設けられた吐水部であり、所定のタイミングで除菌作用を有する機能水を、ボウル部２に向けて噴霧（吐出）するように構成されている。
【００４１】
流調・温調バルブ１０は、供給された湯及び水を所定の割合で混合させると共に、混合された湯水の流出流量を調整することができる所謂「シングルレバー水栓」であり、水栓装置ユニット４の右側の端部に収納されている。この流調・温調バルブ１０には操作レバー１０ａが取り付けられており、この操作レバー１０ａは、水栓装置ユニット４の下面から下方に向けて突出している。本実施形態においては、操作レバー１０ａを前後方向に操作することにより第１の吐水部４ａから吐出される湯水の流量を調整し、左右方向に操作することにより湯水の温度を調整することができる。
【００４２】
操作スイッチ１２は、水栓装置ユニット４の前面左側に設けられたスイッチである。この操作スイッチ１２を操作することにより、照明用ＬＥＤ１６のオン、オフの切り換え、及び第２の吐水部４ｂから機能水を吐出する機能のオン、オフを切り換えることができる。
タッチスイッチ１４は、水栓装置ユニット４の前面右側に設けられたスイッチである。タッチスイッチ１４を操作することにより、第１の吐水部４ａからの吐水、停止を自動水栓として自動的に行うか否かを切り換えることができる。
照明用ＬＥＤ１６は、水栓装置ユニット４の下面、奥側の２箇所に設けられたＬＥＤであり、洗面台１を使用する使用者の手元を照明するように構成されている。
【００４３】
次に、図４を参照して、本発明の第１実施形態による洗面台１における給水・給湯系統を説明する。
図４に示すように、給水系統には、上流側から順に、水道水を供給する給水管２０ａと、水道水を遮断するための止水栓２２ａと、水道水中に混入した異物等を取り除くためのフィルタ２４ａと、水道水の、第１の吐水部４ａからの吐出、停止を切り換える水道水用電磁弁である水用電磁弁２８ａと、が設けられている。同様に、給湯系統には、上流側から順に、湯沸かし器（図示せず）等からの湯を供給する給湯管２０ｂと、湯を遮断するための止水栓２２ｂと、混入した異物等を取り除くためのフィルタ２４ｂと、湯の、第１の吐水部４ａからの吐出、停止を切り換える水道水用電磁弁である湯用電磁弁２８ｂと、が設けられている。
【００４４】
これらの給水系統及び給湯系統を通って夫々供給された水及び湯は、流調・温調バルブ１０によって所定の割合で混合され、第１の吐水部４ａから吐出される。
【００４５】
また、水用電磁弁２８ａ及び湯用電磁弁２８ｂは、制御部であるコントローラ４０によって、開弁、閉弁が制御されるように構成されている。即ち、接近センサ１８による検出信号はコントローラ４０に送られる。コントローラ４０は、手指等の被検知物が第１の吐水部４ａに接近している間、水用電磁弁２８ａ及び湯用電磁弁２８ｂに信号を送り、これらを開弁させ、吐水部４ａから湯水を吐出させる。また、コントローラ４０は、接近センサ１８が被検知物を検知して水用電磁弁２８ａ及び湯用電磁弁２８ｂを開弁させたときから、被検知物が検知されなくなり、これらを閉弁させるまでの時間を計測するタイマを内蔵している。なお、本実施形態においては、コントローラ４０は、マイクロプロセッサ、メモリ、インターフェイス回路、電磁弁の駆動回路、及びこれらを作動させるソフトウェア等（以上、図示せず）により構成されている。また、コントローラ４０は、ＡＣ電源４２から供給される電力により作動される。
【００４６】
次に、第２の吐水部４ｂから吐出される機能水の生成、吐出系統について説明する。
図４に示すように、給水管２０ａから供給された水道水は、フィルタ２４ａの下流側で２つの管路に分岐され、一方は水用電磁弁２８ａに接続され、他方は機能水用電磁弁３０に接続されている。以下に説明するように、この機能水用電磁弁３０を通過した水道水から除菌作用を有する機能水が生成され、第２の吐水部４ｂから吐出される。コントローラ４０は、制御信号により機能水用電磁弁３０の開弁、閉弁を制御し、所定のタイミングで機能水用電磁弁３０を開弁させて第２の吐水部４ｂから機能水を吐出させる。
【００４７】
機能水用電磁弁３０の下流側には、上流側から順に、調圧弁３２と、安全弁３４と、逆止弁３６と、電解槽３８が接続されている。
調圧弁３２は、機能水用電磁弁３０から流入した水道水を圧力調整して流出させるように構成されている。機能水用電磁弁３０から流入した水道水は、調圧弁３２により、第２の吐水部４ｂから霧状にして噴霧するのに適した圧力に調整される。
【００４８】
安全弁３４は、機能水供給用の管路内の圧力が所定圧力以上になったとき、管路内の水道水を水用電磁弁２８ａの下流側に逃がすように構成されている。例えば、第２の吐水部４ｂの吐水口が塞がれ、管路内の圧力が急上昇した場合には、安全弁３４が開弁され、バイパス流路３４ａを介して管路内の水を水用電磁弁２８ａの下流側の管路に流出させる。バイパス流路３４ａを通った水道水は、流調・温調バルブ１０を通って第１の吐水部４ａから排出されるので、管路内の圧力が所定圧力以上に上昇するのを防止することができる。
逆止弁３６は、安全弁３４と電解槽３８の間の管路に設けられ、電解槽３８内の電解水が安全弁３４側に逆流するのを防止するように構成されている。
【００４９】
電解槽３８は、供給された水道水を電気分解して、機能水である電解水を生成するように構成されている。コントローラ４０は、電解槽３８への通電、停止を制御し、所定のタイミングで電解槽３８内の電極（図示せず）間に電圧を付与して、電解水を生成する。本実施形態で用いる電解水としては、電気分解によって得られる除菌機能を有する水であれば何でもよい。電解水の代表的なものとして次亜塩素酸を含有する電解水が挙げられる。一般に上水又は中水は塩素イオンを含有するため、電気分解により遊離塩素が生成される。遊離塩素は、酸性では次亜塩素酸（ＨＣｌＯ）として存在し、この形態ではアルカリ性での存在形態である次亜塩素酸イオン（ＣｌＯ-）と比較して約１０倍殺菌力が強い。また、中性でもその中間程度の強力な殺菌力が得られる。従って、連続式電気分解槽で電気分解された水は、強力な殺菌力を有する殺菌水となっている。
【００５０】
上述したように一般的に利用されている水道水（上水又は中水）は塩素イオンを含有しているが、塩素イオン濃度が低い地域で利用する場合や、強力な殺菌作用が必要な場合には、食塩などの塩化物を添加することで塩素イオンを補うことができる。
【００５１】
塩素発生に用いられる電極としては、導電性基材に塩素発生用触媒を担持したものか、塩素発生用触媒からなる導電性材料が利用される。塩素発生用触媒の種類により、例えば、フェライト等の鉄系電極、パラジウム系電極、ルテニウム系電極、イリジウム系電極、白金系電極、ルテニウム−スズ系電極、パラジウム−白金系電極、イリジウム−白金系電極、ルテニウム−白金系電極、イリジウム−白金−タンタル系電極等がある。導電性基材に塩素発生用触媒を担持したものは、構造を担う基材部を安価なチタン、ステンレス等の材料で構成できるので、製造コスト上有利である。
【００５２】
塩素以外に、ハロゲンイオンを含有する水を電気分解することによって得られる次亜ハロゲン酸であってもよい。
その他の電解水としては、電極として銀を利用することで得られる銀イオン水を挙げることができる。銀イオンは、細菌の細胞膜にある酵素に吸着し、酵素の作用を阻害するため、細菌が生命維持できなくなると言われている。接触する基材表面をコートする作用もあり、細菌が基材表面で繁殖しにくくなる。銀イオンは基材表面をコートして、細菌の付着を防ぐことができ、かつ殺菌力を有しているため、基材表面での細菌の増殖を効果的に抑制できる。その際、排水トラップの置換率を高める洗浄方法と組み合わせることで、長期間、排水口のぬめりや匂いを抑制することが可能となる。
【００５３】
その他、特に電気分解用の電極として二酸化鉛（β型）を用いることにより陽極側で酸素の発生と共に高濃度のオゾンを発生させるオゾン水など、様々な種類の電解水を好適に用いることが可能である。
【００５４】
更に、電解水以外の除菌水としては、各種の除菌成分を溶解させた水溶液が挙げられる。溶解される除菌成分としては、固体、液体、気体の何れを用いてもよい。液体の除菌成分を用いる場合には、例えば、エタノールや、イソプロパノールなどのアルコール類や、過酸化水素などを適用すればよい。また、気体の除菌成分を用いる場合には、例えば、オゾンを微細気泡として水中に溶解させることでオゾン水を作り出せばよい。また、固体の除菌成分を用いる場合には、例えば次亜塩素酸ナトリウムなどを適用すればよい。
【００５５】
以上述べたような種々の電解水、除菌水は、本発明における「機能水」に相当するものである。ここで、本明細書においては、「除菌」の文言は、菌を減らす意味だけでなく（この場合、菌を除去して減らす意味だけなく、菌を殺して減らす意味も含まれる）、菌を減らさないまでも菌の増殖を抑制する意味も含む広義の概念として用いている。本発明における「機能水」は、このような意味での除菌機能を、所定の処理によって通常の水に対して付加した水を意味するものとする。
なお、本実施形態においては、本発明における機能水として電解水を用いる例を挙げて説明するが、電解水の代わりに、電解水以外の上記したような除菌水を用いてもよいことは言うまでもない。
【００５６】
次に、図５乃至図８を参照して、本発明の第１実施形態による洗面台１の作用を説明する。
図５は、コントローラ４０による機能水用電磁弁３０の制御フローチャートである。図６は、コントローラ４０による制御の一例を示すタイムチャートであり、上段から順に、接近センサ１８による検知の有無、水用電磁弁２８ａ及び湯用電磁弁２８ｂの開閉、機能水用電磁弁３０の開閉を夫々示している。図７及び図８は、コントローラ４０による制御の他の例を示すタイムチャートである。
図５に示す制御フローチャートは、第２の吐水部４ｂによる電解水（機能水）の吐出が終了した状態（検知時間カウント＝０）で、接近センサ１８が被検知物を検知したとき起動されるフローチャートである。
【００５７】
まず、図６の時刻ｔ１において、洗面台１の使用者が第１の吐水部４ａの近傍に手指を近付けると、接近センサ１８がこれを検知する。接近センサ１８が被検知物を検知すると、コントローラ４０は水用電磁弁２８ａ及び湯用電磁弁２８ｂに制御信号を送り、これらを開弁させる。水用電磁弁２８ａが開弁されると、給水管２０ａから供給された水道水は、止水栓２２ａ、フィルタ２４ａを通って水用電磁弁２８ａに到達し、流調・温調バルブ１０に流入する。一方、湯用電磁弁２８ｂが開弁されると、給湯管２０ｂから供給された湯は、止水栓２２ｂ、フィルタ２４ｂを通って湯用電磁弁２８ｂに到達し、流調・温調バルブ１０に流入する。
【００５８】
流調・温調バルブ１０に流入した水道水及び湯は、ここで混合され、第１の吐水部４ａの吐水口からボウル部２に向けて吐出される。ここで、流調・温調バルブ１０における湯と水の混合比は、操作レバー１０ａの左右方向の回転位置により設定される。また、流調・温調バルブ１０から流出する湯水の流量は、操作レバー１０ａの前後方向の回転位置により設定される。流調・温調バルブ１０から流出した湯水は、第１の吐水部４ａから吐出される。接近センサ１８が手指等を検知して水用電磁弁２８ａ及び湯用電磁弁２８ｂを開弁させ、第１の吐水部４ａからの吐水が開始されると（図６の２段目、時刻ｔ１〜）、コントローラ４０は作業待ち工程を開始する。即ち、コントローラ４０は、接近センサ１８が手指等を検知していない非検知状態から、検知している検知状態に変化したとき、作業待ち工程を開始し、作業待ち工程は、手洗いや、洗面等、洗面台１における１回の作業時間であると想定される時間の経過を待つ工程である。
【００５９】
即ち、図６の時刻ｔ１において、接近センサ１８が被検知物を検知すると、図５に示すフローチャートが実行され、コントローラ４０に内蔵されたタイマ（図示せず）により、作業待ち工程の経過時間の積算が開始される（図５のフローチャートのステップＳ１）。即ち、コントローラ４０は、使用者が洗面台１における作業を開始したと判断して、使用者の洗面台１における１回の作業が終わると想定される時間が経過するまで作業待ち工程を実行し、この工程が終了するまで電解水の吐水は実行されない。
次に、図５のステップＳ２においては、積算されている作業待ち工程の経過時間が所定の作業相当時間τ１以上であるか否かが判断され、作業相当時間τ１未満である場合にはステップＳ２の処理が繰り返される。本件発明者の調査によれば、一般に洗面台１で行われる作業としては、歯磨き、洗顔、髭剃り、基礎化粧、化粧、整髪、洗髪、ヘアブロー、着替え等があり、これら個々の作業に要する平均的な時間は短いもので１分、長いもので７．５分程度である。朝や出掛け等には、これらの作業のうちの２〜４つ程度が１回の洗面台１の使用として行われ、１回の洗面台の使用時間は５分以上となることが多かった。このため、本実施形態においては、所定の作業相当時間τ１を５分に設定している。好ましくは、作業相当時間は、洗面台１の設置場所や、設置する住宅の家族構成等に応じて、５分乃至６０分の時間に設定する。
【００６０】
図６の時刻ｔ２において、使用者が手指を第１の吐水部４ａから遠ざけると、接近センサ１８は被検知物を検知しなくなるので、コントローラ４０は水用電磁弁２８ａ及び湯用電磁弁２８ｂを閉弁させる。しかしながら、時刻ｔ２においては、使用者による洗面台１における作業開始（時刻ｔ１）から作業相当時間τ１が経過していないので、使用者による吐水が再開される可能性が高く、時刻ｔ２において吐水が停止されても電解水の噴霧は実行されない。また、この作業待ち工程の間、図５のフローチャートではステップＳ２の処理が繰り返されている。
【００６１】
さらに、図６の時刻ｔ３において、使用者が再び手指を第１の吐水部４ａに近付けると、コントローラ４０は水用電磁弁２８ａ及び湯用電磁弁２８ｂを開弁させる。ここで、時刻ｔ３において第１の吐水部４ａからの吐水が開始されているが、時刻ｔ３における吐水は作業待ち工程中の吐水であるため、使用者の洗面台１における１回の作業のうちの吐水の「再開」であると見なされ、作業待ち時間の積算値がリセットされることはない。即ち、作業待ち工程中において、接近センサ１８が非検知状態から再び検知状態に変化した場合であっても、作業待ち工程が再実行されることはなく、図６の時刻ｔ１において開始された実行中の作業待ち工程が終了した後に、電解水の噴霧が実行される。
【００６２】
次に、図６の時刻ｔ４において、積算時間が５分に到達すると、図５のフローチャートにおける処理は、ステップＳ２からステップＳ３に移行する。なお、時刻ｔ４においては、作業相当時間τ１である５分は経過しているが、第１の吐水部４ａからの吐水中であるため、使用者による洗面台１における１回の作業がまだ継続されていると見なして、電解水の噴霧は実行されない。
【００６３】
ステップＳ３においては、水用電磁弁２８ａ及び湯用電磁弁２８ｂが閉弁されているか否か、即ち、第１の吐水部４ａから吐水が行われているか否かが判断される。吐水が行われていな場合にはステップＳ４に進み、吐水が行われている場合にはステップＳ３→Ｓ５→Ｓ３の処理が繰り返し実行される。なお、ステップＳ５における「待機時間リセット」については後述する。
次に、図６の時刻ｔ５において、接近センサ１８が被検知物を検知しなくなると、コントローラ４０は水用電磁弁２８ａ及び湯用電磁弁２８ｂを閉弁させ、吐水が停止される。吐水が停止されると、図５のフローチャートにおける処理は、ステップＳ３からステップＳ４に移行する。
【００６４】
ステップＳ４においては、水用電磁弁２８ａ及び湯用電磁弁２８ｂが閉弁されたとき（時刻ｔ５）から積算が開始される所定の待機時間Ｔ１が経過したか否かが判断される。待機時間Ｔ１が経過した場合にはステップＳ６に進み、経過していない場合にはステップＳ３に戻る。従って、時刻ｔ５において吐水が停止された後、接近センサ１８が被検知物を検知していない場合には、待機時間Ｔ１が経過するまで、ステップＳ４→Ｓ３→Ｓ４の処理が繰り返し実行される。なお、本実施形態においては、待機時間Ｔ１は５秒である。
【００６５】
図６の時刻ｔ６において待機時間Ｔ１が経過すると、図５のフローチャートにおける処理は、ステップＳ４からステップＳ６に移行する。ステップＳ６以下の処理では、第２の吐水部４ｂからの電解水の噴霧が実行される。このように、作業相当時間τ１が経過し、直近の吐水である時刻ｔ３〜ｔ５間の吐水が終了した後、待機時間Ｔ１の経過を待って電解水の噴霧が実行される。なお、第１の吐水部４ａからの吐水は時刻ｔ５において停止されているが、吐水停止の直後は、吐水されていた水道水がボウル部２内に残っている可能性が高いため、その状態で電解水を噴霧しても、電解水が薄められてしまい十分な殺菌効果を得ることができない。そこで、時刻ｔ５における吐水停止の後、待機時間Ｔ１の経過を待ってから電解水の噴霧が実行される。
【００６６】
ステップＳ６においては、コントローラ４０は機能水用電磁弁３０に信号を送り、これを開弁させる。次いで、ステップＳ７においては、コントローラ４０は電解槽３８の電極（図示せず）に電圧を付与する。機能水用電磁弁３０が開弁されると、給水管２０ａから供給された水道水は、止水栓２２ａ、フィルタ２４ａを通って機能水用電磁弁３０に到達する。機能水用電磁弁３０を通過した水道水は、調圧弁３２、逆止弁３６を通って電解槽３８に流入する。電解槽３８に流入した水道水は、コントローラ４０によって付与された電圧（電流）により電気分解され、電解水が生成される。生成された電解水は、ミスト状にされて、第２の吐水部４ｂからボウル部２に噴霧される。噴霧された電解水により、ボウル部２表面や、排水口２ａが殺菌され、雑菌の繁殖が抑制される。
【００６７】
次いで、図５のステップＳ８においては、機能水用電磁弁３０が開弁された後（図６の時刻ｔ６の後）、所定の機能水吐出時間Ｔ２が経過したか否かが判断される。機能水吐出時間Ｔ２が経過した場合にはステップＳ１０に進み、経過していない場合にはステップＳ９に進む。ステップＳ９においては、水用電磁弁２８ａ及び湯用電磁弁２８ｂが閉弁されているか否か（吐水が行われているか否か）が判断され、吐水が行われていない場合にはステップＳ８に戻り、吐水が行われている場合にはステップＳ１３に進む。従って、時刻ｔ６において機能水用電磁弁３０が開弁された後、接近センサ１８が被検知物を検知していない場合には、機能水吐出時間Ｔ２が経過するまで、ステップＳ８→Ｓ９→Ｓ８の処理が繰り返し実行される。なお、本実施形態においては、機能水吐出時間Ｔ２は１０秒である。
【００６８】
さらに、図６の時刻ｔ７において機能水吐出時間Ｔ２が経過すると、図５のフローチャートにおける処理は、ステップＳ８からステップＳ１０に移行する。ステップＳ１０においては、コントローラ４０は機能水用電磁弁３０に信号を送り、これを閉弁させる。次いで、ステップＳ１１においては、コントローラ４０は電解槽３８への通電を停止する。さらに、ステップＳ１２においては、コントローラ４０は、コントローラ４０によって積算されていた作業待ち時間の積算時間をゼロにリセットし、図５に示すフローチャートの１回の処理を終了する。図５に示すフローチャートの処理終了後、第１の吐水部４ａからの吐水が開始されると、再び図５のフローチャートの処理がステップＳ１から開始される。
【００６９】
次に、図５及び図７を参照して、コントローラ４０による制御の他の例を説明する。
まず、図７の時刻ｔ８において接近センサ１８が被検知物を検知すると、図５に示すフローチャートの処理が開始され、第１の吐水部４ａからの吐水開始と共に作業待ち時間の積算が開始される（図５のステップＳ１）。次いで、図７の時刻ｔ９において作業待ち時間が所定の作業相当時間τ１を超えると、図５に示すフローチャートにおける処理がステップＳ２からＳ３に移行する。さらに、図７の時刻ｔ１０において、接近センサ１８が被検知物を検知しなくなると、第１の吐水部４ａからの吐水が停止される。これにより、図５のフローチャートにおける処理がステップＳ３からＳ４に進み、時刻ｔ１０から待機時間の積算が開始される。時刻ｔ１０から積算が開始された待機時間は、ステップＳ４→Ｓ３→Ｓ４の処理が繰り返されている間、積算される。
【００７０】
次に、図７の時刻ｔ１１において、所定の待機時間Ｔ１が経過する前に（積算している待機時間がＴ１に到達する前に）、接近センサ１８が被検知物を検知すると、コントローラ４０は水用電磁弁２８ａ及び湯用電磁弁２８ｂを開弁させ、吐水が開始される。これにより、図５に示すフローチャートにおいて、ステップＳ４→Ｓ３→Ｓ４を繰り返していた処理は、ステップＳ３→Ｓ５→Ｓ３を繰り返すようになる。ここで、ステップＳ５においては、積算している待機時間がリセットされるので、ステップＳ３→Ｓ５→Ｓ３が繰り返されている間（吐水が行われている間）は、待機時間は積算されない（待機時間の積算値は増加しない）。
【００７１】
次に、図７の時刻ｔ１２において、接近センサ１８が被検知物を検知しなくなると、コントローラ４０は水用電磁弁２８ａ及び湯用電磁弁２８ｂを閉弁させ、吐水が停止される。これにより、図５に示すフローチャートにおいて、ステップＳ３→Ｓ５→Ｓ３を繰り返していた処理は、ステップＳ４→Ｓ３→Ｓ４を繰り返すようになり、時刻ｔ１２からの待機時間の積算が開始される。さらに、待機時間の積算中に吐水が行われることなく、図７の時刻ｔ１３において所定の待機時間Ｔ１が経過すると、図５に示すフローチャートにおける処理がステップＳ４からＳ６に移行する。ステップＳ６以下の処理では、所定の機能水吐出時間Ｔ２（図７の時刻ｔ１３〜ｔ１４）に亘って第２の吐水部４ｂから電解水が噴霧され、図５に示すフローチャートの１回の処理を終了する。
【００７２】
このように、使用者が洗面台１を使用し始めた後の作業待ち時間（積算時間）が所定の作業相当時間τ１以上となった後（図７の時刻ｔ９の後）、所定の待機時間Ｔ１の経過を待っている間（時刻ｔ１０〜）に、再び吐水が行われる（時刻ｔ１１〜）と、待機時間の積算値はリセットされ、その吐水が停止された後（時刻ｔ１２の後）、再び待機時間の積算がゼロから開始される（時刻ｔ１２〜）。ここで、積算時間は作業相当時間τ１を既に超えているので、待機中に行われた吐水（時刻ｔ１１〜ｔ１２）は、使用者が時刻ｔ８において開始した１回の洗面台１の使用における吐水とみなし、新たな作業待ち工程を行うことなく、所定の待機時間Ｔ１の経過後（時刻ｔ１３の後）、電解水の噴霧が実行される（時刻ｔ１３〜ｔ１４）。
【００７３】
次に、図５及び図８を参照して、コントローラ４０による制御の他の例を説明する。
まず、図８の時刻ｔ１５において接近センサ１８が被検知物を検知すると、図５に示すフローチャートの処理が開始され、コントローラ４０によって作業待ち時間の積算が開始される（図５のステップＳ１）。次いで、図８の時刻ｔ１６において、第１の吐水部４ａからの吐水が停止されているが、作業待ち時間が所定の作業相当時間τ１を超えていないので、吐水が再開される可能性が高いと判断して、作業待ち工程を継続する。この間、図５のフローチャートにおいては、ステップＳ２の処理が繰り返される。時刻ｔ１７において、所定の作業相当時間τ１が経過すると、フローチャートにおける処理がステップＳ２からＳ３に移行する。時刻ｔ１７においては吐水が停止されているので、図５のフローチャートにおける処理がステップＳ３からＳ４に進み、時刻ｔ１７から待機時間の積算が開始され、時刻ｔ１８において、所定の待機時間Ｔ１が経過する。
【００７４】
時刻ｔ１８において待機時間Ｔ１が経過すると、図５のフローチャートにおける処理がステップＳ４からＳ６に移行し、第２の吐水部４ｂからの電解水の噴霧が開始される。この電解水の噴霧が実行されている間は、フローチャートにおいては、ステップＳ８→Ｓ９→Ｓ８の処理が繰り返される。電解水の噴霧は、噴霧開始から所定の機能水吐出時間Ｔ２継続させるものであるが、図８に示す例では、時刻ｔ１８における噴霧開始から機能水吐出時間Ｔ２が経過する前に、接近センサ１８により被検知物が検知されている（図８の時刻ｔ１９）。被検知物が検知されると、第１の吐水部４ａからの吐水が開始されるため、フローチャートにおける処理はステップＳ９からＳ１３に移行する。
【００７５】
ステップＳ１３において、コントローラ４０は機能水用電磁弁３０に信号を送り、これを閉弁させると共に、電解槽３８への通電を停止する。これにより、第２の吐水部４ｂからの電解水の噴霧が停止される。このように、電解水の噴霧中、機能水吐出時間Ｔ２が経過する前に、第１の吐水部４ａからの吐水が開始されると、コントローラ４０は、第２の吐水部４ｂからの電解水の噴霧を停止させる。即ち、第１の吐水部４ａからの吐水が行われている状態では、電解水を噴霧しても洗い流されてしまい、電解水が無駄になる。
【００７６】
ステップＳ１３の後、図５のフローチャートにおいては、第１の吐水部４ａからの吐水が停止されるまで、ステップＳ３→Ｓ５→Ｓ３の処理が繰り返される。次いで、図８の時刻ｔ２０において第１の吐水部４ａからの吐水が停止されると、フローチャートにおける処理はステップＳ４に移行し、以後、所定の待機時間Ｔ１が経過するまでステップＳ４→Ｓ３→Ｓ４の処理が繰り返される。
【００７７】
次に、図８の時刻ｔ２１において待機時間Ｔ１が経過すると、フローチャートにおける処理はステップＳ６に移行し、第２の吐水部４ｂからの電解水の噴霧が開始される。さらに、時刻ｔ２２において機能水吐出時間Ｔ２が経過すると、電解水の噴霧が停止されると共に、作業待ち時間の積算値がリセットされ、図５に示すフローチャートの１回の処理を終了する。
【００７８】
本発明の第１実施形態の洗面台１によれば、第１の吐水部４ａからの吐水開始後（図６の時刻ｔ１〜）に、使用者による１回の洗面台１の使用時間として想定した所定の作業相当時間τ１である５分間に亘って作業待ち工程を実行した後、第２の吐水部４ｂからの吐水を実行する（図６の時刻ｔ６〜）。この結果、使用者が洗面台１を使用している途中で、第２の吐水部４ｂから電解水が吐出されるという状況を減らすことができる。即ち、使用者が洗面台１を使用している途中で電解水が吐水されると、電解水の吐出の直後に再び第１の吐水部４ａからの吐水が行われて、ボウル部２に再び雑菌が付着してしまう可能性が高く、吐水した電解水が無駄になってしまう。本実施形態によれば、このような電解水の浪費を回避することができ、節水を実現しながら、ボウル部２や排水口２ａにおける雑菌の繁殖を効果的に抑制することができる。
【００７９】
さらに、本実施形態の洗面台１によれば、第１の吐水部４ａからの吐水、停止時期を検出するための接近センサ１８を使用して、作業待ち工程の開始時期を検出することができる。また、非検知状態から、検知状態に変化したとき作業待ち工程が開始され（図６の時刻ｔ１〜）、作業待ち工程の終了（図６の時刻ｔ４）を待った後、機能水の吐水が行われるので、例えば、手洗いの最初に手を水で濡らした直後や、歯磨きの最初に歯ブラシを水で濡らした直後に電解水が吐出されてしまい、電解水が無駄になるのを防止することができる。これにより、電解水の浪費を抑制しながら効果的に雑菌の繁殖を抑制することができる。
【００８０】
また、本実施形態の洗面台１によれば、非検知状態から、検知状態に変化（図６の時刻ｔ１）した後、作業相当時間τ１として５分経過するのを待った後、電解水の吐水が実行されるので、使用者による１回の洗面台１の使用が終了した後、電解水を吐出することができる確率を高くすることができる。
【００８１】
さらに、本実施形態の洗面台１によれば、作業待ち工程の実行中（図６の時刻ｔ１〜ｔ４）において、非検知状態に移行し（図６の時刻ｔ２）、その後、再び検知状態に変化した（図６の時刻ｔ３）場合であっても、作業待ち工程を再実行することなく、実行中の作業待ち工程（図６の時刻ｔ１〜ｔ４）が終了した後、第２の吐水部４ｂからの吐水が実行される（図６の時刻ｔ６）ので、作業待ち工程中に吐水や止水が行われることにより、作業待ち工程が何度も再実行され、機能水の吐水の頻度が著しく低下するのを防止することができる。これにより、機能水の浪費を回避しながら、効果的に雑菌の繁殖を抑制することができる。
【００８２】
次に、図９乃至図１１を参照して、本発明の第２実施形態による洗面台を説明する。
本実施形態の洗面台は、コントローラ４０による制御が上述した第１実施形態とは異なる。従って、ここでは、本実施形態の、第１実施形態とは異なる点のみを説明し、同様の構成、作用、効果については説明を省略する。図９乃至図１１は、コントローラ４０による制御の一例を示すタイムチャートである。
【００８３】
上述した本発明の第１実施形態においては、前回実行した図５のフローチャートの処理が終了した（第２の吐水部４ｂからの電解水（機能水）の吐出が終了した）後、初めて接近センサ１８が被検知物を検知したとき（図６の時刻ｔ１に対応）、図５に示す制御フローチャートが新たに起動されていた。これに対し、本実施形態においては、コントローラ４０は図５に示す制御フローチャートと同一のフローチャートで制御を実行するが、接近センサ１８が検知状態から非検知状態に変化したとき（図６の時刻ｔ２に対応）、図５の制御フローチャートが新たに起動される。従って、以下の説明では、図９乃至図１１と共に図５を参照しながら、本発明の第２実施形態における制御を説明する。
【００８４】
即ち、図９に示すタイムチャートの時刻ｔ３１においては、前回の図５に示す制御フローチャートによる１回の処理が終了した後、初めて接近センサ１８が被検知物を検知し、第１の吐水部４ａからの吐水が開始されている。次いで、図９の時刻ｔ３２において、接近センサ１８が非検知状態に変化すると、図５に示すフローチャートの処理が新たに開始される。これにより、図５のステップＳ１において、作業待ち時間のカウントが時刻ｔ３２から開始される。
【００８５】
さらに、ステップＳ２においては、時刻ｔ３２において作業待ち時間のカウントが開始された後、所定の作業相当時間τ１が経過したか否かが判断され、作業相当時間τ１が経過するまでステップＳ２の処理が繰り返される。次いで、時刻ｔ３３においては、所定の作業相当時間τ１が経過する前に、第１の吐水部４ａからの吐水が再開されている。さらに、時刻ｔ３４において所定の作業相当時間τ１が経過すると、フローチャートの処理はステップＳ３に移行する。
【００８６】
ステップＳ３においては、第１の吐水部４ａからの吐水が行われているか否かが判断される。図９のタイムチャートでは、時刻ｔ３４において吐水が行われているため、図５のフローチャートにおいては、ステップＳ３→Ｓ５→Ｓ３の処理が繰り返される。なお、ステップＳ５において待機時間がリセットされているため、ステップＳ３→Ｓ５→Ｓ３の処理を繰り返している間には、待機時間の積算は行われない。
【００８７】
次に、時刻ｔ３５において第１の吐水部４ａからの吐水が停止されると、図５のフローチャートにおける処理はステップＳ４に移行する。ステップＳ４においては、所定の待機時間Ｔ１が経過したか否かが判断される。以降、所定の待機時間Ｔ１が経過するまで、ステップＳ４→Ｓ３→Ｓ４の処理が繰り返される。また、この待機時間Ｔ１の経過を待つ間に第１の吐水部４ａから吐水が行われると、図５のフローチャートにおける処理はステップＳ３→Ｓ５→Ｓ３の処理が繰り返されるようになり、待機時間の積算もリセットされる。
【００８８】
次いで、図９の時刻ｔ３６において所定の待機時間Ｔ１が経過すると、図５のフローチャートにおける処理はステップＳ６に移行する。ステップＳ６以下の処理では、所定の機能水吐出時間Ｔ２に亘って電解水が吐出され（時刻ｔ３６〜ｔ３７）、図５のフローチャートの１回の処理を終了する。
【００８９】
次に、図１０を参照して、本発明の第２実施形態による洗面台の他の動作例を説明する。
まず、図１０の時刻ｔ３９において第１の吐水部４ａからの吐水が停止されると、図５のフローチャートの処理が開始され、作業待ち時間の積算が開始される。図１０に示す例においては、所定の作業相当時間τ１が経過する前の時刻ｔ４０において第１の吐水部４ａからの吐水が再開されているので、時刻ｔ４１において所定の作業相当時間τ１が経過した後も待機時間は積算されず、吐水の終了が待機される（ステップＳ３→Ｓ５→Ｓ３の処理）。
【００９０】
さらに、時刻ｔ４２において第１の吐水部４ａからの吐水が停止されると、作業待ち時間の積算を行うことなく、待機時間の積算が開始される（ステップＳ４→Ｓ３→Ｓ４の処理）。しかしながら、時刻ｔ４３において第１の吐水部４ａからの吐水が再開されるので、待機時間の積算はリセットされ、吐水の終了が待機される（ステップＳ３→Ｓ５→Ｓ３の処理）。
【００９１】
次いで、時刻ｔ４４において第１の吐水部４ａからの吐水が停止されると、再び待機時間の積算が開始され（ステップＳ４→Ｓ３→Ｓ４の処理）、時刻ｔ４５において所定の待機時間が経過すると、図５のフローチャートにおける処理はステップＳ６に移行する。ステップＳ６以下の処理では、所定の機能水吐出時間Ｔ２に亘って電解水が吐出され（時刻ｔ４５〜ｔ４６）、図５のフローチャートの１回の処理を終了する。
【００９２】
次に、図１１を参照して、本発明の第２実施形態による洗面台の他の動作例を説明する。
まず、図１１の時刻ｔ４８において第１の吐水部４ａからの吐水が停止されると、図５のフローチャートの処理が開始され、作業待ち時間の積算が開始される。図１１に示す例においては、所定の作業相当時間τ１が経過する前の時刻ｔ４９〜ｔ５０において第１の吐水部４ａからの吐水が再開されているが、作業相当時間τ１が経過した時刻ｔ５１において第１の吐水部４ａからの吐水は停止されているので、時刻ｔ５１から待機時間の積算が開始される（ステップＳ３→Ｓ４→Ｓ３の処理）。
【００９３】
さらに、時刻ｔ５２において所定の待機時間Ｔ１が経過すると図５のフローチャートにおける処理はステップＳ６以下に移行し、電解水の吐水が開始される（ステップＳ８→Ｓ９→Ｓ８の処理）。しかしながら、電解水の吐出が開始された時刻ｔ５２の後、所定の機能水吐出時間Ｔ２が経過する前の時刻ｔ５３において、第１の吐水部４ａからの吐水が開始されたため、電解水の吐出が停止される（ステップＳ９→Ｓ１３の処理）。
【００９４】
次いで、時刻ｔ５３において開始された第１の吐水部４ａからの吐水が、時刻ｔ５４において停止されると、再び待機時間の積算が開始され（ステップＳ４→Ｓ３→Ｓ４の処理）、時刻ｔ５５において所定の待機時間が経過すると、図５のフローチャートにおける処理は再びステップＳ６に移行する。ステップＳ６以下の処理では、所定の機能水吐出時間Ｔ２に亘って電解水が吐出され（時刻ｔ５５〜ｔ５６）、図５のフローチャートの１回の処理を終了する。
【００９５】
このように、本発明の第２実施形態の洗面台においては、前回電解水の吐出が行われた後、初めて第１の吐水部４ａからの吐水が開始され（図９のｔ３１、図１０のｔ３８、図１１のｔ４７）、この吐水が停止されたとき（図９のｔ３２、図１０のｔ３９、図１１のｔ４８）作業待ち時間の積算が開始される。この積算が開始された後、所定の作業相当時間τ１が経過した後は、作業待ち時間の積算は行わず、第１の吐水部４ａからの吐水が行われていない状態において、所定の待機時間Ｔ１の経過を待ち、所定の機能水吐出時間Ｔ２に亘って電解水の吐出を行い、一連の処理を終了する。
【００９６】
本発明の第２実施形態の洗面台によれば、第１の吐水部４ａが吐水状態から止水状態に変化したとき（図９のｔ３２、図１０のｔ３９、図１１のｔ４８）作業待ち工程が開始され、作業待ち工程の終了を待った後、機能水の吐水が行われる（図９のｔ３６、図１０のｔ４５、図１１のｔ５２、ｔ５５）ので、例えば、手洗いの最初に手を水で濡らした直後や、歯磨きの最初に歯ブラシを水で濡らした直後に機能水が吐出されてしまい、機能水が無駄になるのを防止することができる。
【００９７】
また、本実施形態の洗面台によれば、検知状態から、非検知状態に変化した後、作業相当時間として５分経過するのを待って（図５のステップＳ２）機能水の吐水が実行されるので、使用者による１回の洗面台の使用が終了した後、機能水を吐出することができる確率を高くすることができる。
【００９８】
さらに、本実施形態の洗面台によれば、作業待ち工程の実行中において、検知状態に移行し（図９のｔ３３、図１０のｔ４０、図１１のｔ４９）、その後、再び非検知状態に変化（図９のｔ３５、図１０のｔ４２、図１１のｔ５０）した場合であっても、作業待ち工程を再実行することなく第２の吐水部４ｂからの吐水が実行される。このため、作業待ち工程を比較的長い時間（例えば３０分以上）に設定した場合であっても、作業待ち工程中に吐水や止水が行われることにより、作業待ち工程が何度も再実行され、機能水の吐水の頻度が著しく低下してしまうのを防止することができる。
【００９９】
また、本実施形態の洗面台によれば、作業待ち工程の終了時において、第１の吐水部４ａが吐水状態である場合（図９のｔ３４、図１０のｔ４１）には、第１の吐水部４ａが止水状態となった（図９のｔ３５、図１０のｔ４２）後、第２の吐水部４ｂからの吐水が実行される（図９のｔ３６、図１０のｔ４５）ので、第１の吐水部４ａからの水と機能水が同時に吐水され、機能水が無駄に消費されるのを防止することができる。
【０１００】
さらに、本実施形態の洗面台によれば、作業待ち工程の終了後に、第１の吐水部４ａが止水状態となった場合（図９のｔ３５、図１０のｔ４２、ｔ４４、図１１のｔ５１、ｔ５４）には、所定の待機時間Ｔ１の経過を待って第２の吐水部４ｂからの吐水が開始される（図９のｔ３６、図１０のｔ４５、図１１のｔ５２、ｔ５５）ので、使用者が第１の吐水部４ａからの吐水を停止させた後、すぐに吐水を再開させた場合等に、不要な機能水が吐水されてしまうのを防止することができる。
【０１０１】
また、本実施形態の洗面台によれば、第２の吐水部４ｂからの吐水中に、第１の吐水部４ａが吐水状態となった場合（図１１のｔ５３）には、第２の吐水部４ｂからの吐水が停止されるので、第１の吐水部４ａからの水と機能水が同時に吐水され、機能水が無駄に消費されるのを防止することができる。また、第１の吐水部４ａが止水された（図１１のｔ５４）後、再び第２の吐水部４ｂからの吐水が最初から開始される（図１１のｔ５５）ので、確実に機能水の吐水が実行され、雑菌の繁殖を抑制することができる。
【０１０２】
次に、図１２乃至図１７を参照して、本発明の第３実施形態による洗面台を説明する。
本実施形態の洗面台は、コントローラ４０による制御が上述した第１実施形態とは異なる。従って、ここでは、本実施形態の、第１実施形態とは異なる点のみを説明し、同様の構成、作用、効果については説明を省略する。図１２は、コントローラ４０により実行される制御フローチャートである。図１３乃至図１７は、コントローラ４０による制御の一例を示すタイムチャートである。
【０１０３】
上述した本発明の第１、第２実施形態においては、第１の吐水部４ａからの吐水が開始されたとき、又は吐水が停止されたとき作業待ち工程が開始され、一旦所定の作業相当時間τ１が経過した後は、第１の吐水部４ａからの吐水があっても、作業待ち時間の積算を初めから再び行うことはなく、吐水の停止を待って電解水の吐出が行われていた。これに対し、本発明の第３実施形態においては、一旦所定の作業相当時間τ１が経過した後であっても、その後、第１の吐水部４ａからの吐水が行われた場合には、もう一度初めから作業待ち時間の積算を行う点が、上述した第１、第２実施形態とは異なっている。
【０１０４】
まず、図１３に示すタイムチャートの時刻ｔ６１においては、前回実行した図１２のフローチャートの処理が終了した（第２の吐水部４ｂからの電解水（機能水）の吐出が終了した）後、初めて接近センサ１８が被検知物を検知し、第１の吐水部４ａからの吐水が開始されている。これにより、図１２に示すフローチャートの処理が新たに開始され、そのステップＳ２１が実行される。ステップＳ２１においては、作業待ち時間の積算が開始される。
【０１０５】
次いで、図１２のステップＳ２２においては、第１の吐水部４ａからの吐水が行われているか否かが判断され、吐水が停止されるまでステップＳ２２の処理が繰り返される。
次いで、図１３の時刻ｔ６２において、第１の吐水部４ａからの吐水が停止されると、図１２に示すフローチャートの処理はステップＳ２３以下に移行する。ステップＳ２３においては、時刻ｔ６１において積算が開始された作業待ち時間が所定の作業相当時間τ１に到達したか否かが判断される。所定の作業相当時間τ１が経過していない場合には、ステップＳ２４に進み、ステップＳ２４においては第１の吐水部４ａからの吐水が行われているか否かが判断される。
【０１０６】
第１の吐水部４ａからの吐水が行われていない場合には、処理がステップＳ２３に戻る。従って、第１の吐水部４ａからの吐水が行われない場合には、所定の作業相当時間τ１が経過するまでステップＳ２３→Ｓ２４→Ｓ２３の処理が繰り返される。なお、本実施形態においては、所定の作業相当時間τ１は５分である。
【０１０７】
図１３に示すタイムチャートの例では、時刻ｔ６３において所定の作業相当時間τ１が経過している。所定の作業相当時間τ１が経過すると、待機時間の積算が開始され、フローチャートの処理はステップＳ２６以下に移行する。ステップＳ２６においては、時刻ｔ６３において積算が開始された待機時間が、所定の待機時間Ｔ１に到達したか否かが判断される。所定の待機時間Ｔ１が経過していない場合には、ステップＳ２７に進み、ステップＳ２７においては第１の吐水部４ａからの吐水が行われているか否かが判断される。
【０１０８】
第１の吐水部４ａからの吐水が行われていない場合には、処理がステップＳ２６に戻る。従って、第１の吐水部４ａからの吐水が行われない場合には、所定の待機時間Ｔ１が経過するまでステップＳ２６→Ｓ２７→Ｓ２６の処理が繰り返される。なお、本実施形態においては、待機時間Ｔ１は５秒である。
【０１０９】
図１３に示すタイムチャートの例では、時刻ｔ６４において所定の待機時間Ｔ１が経過している。所定の待機時間Ｔ１が経過すると、フローチャートの処理はステップＳ３０以下に移行する。ステップＳ３０においては機能水用電磁弁３０が開弁され、次いで、ステップＳ３１においては、電解槽３８の電極（図示せず）に電圧が付与される。これにより、生成された電解水は、ミスト状にされて、第２の吐水部４ｂからボウル部２に噴霧される。
【０１１０】
次いで、図１２のステップＳ３２においては、機能水用電磁弁３０が開弁された後（図１３の時刻ｔ６４の後）、所定の機能水吐出時間Ｔ２が経過したか否かが判断される。機能水吐出時間Ｔ２が経過した場合にはステップＳ３４に進み、経過していない場合にはステップＳ３３に進む。ステップＳ３３においては、第１の吐水部４ａからの吐水が行われているかが判断され、吐水が行われていない場合にはステップＳ３２に戻り、吐水が行われている場合にはステップＳ３９に進む。従って、時刻ｔ６４において機能水用電磁弁３０が開弁された後、接近センサ１８が被検知物を検知していない場合には、機能水吐出時間Ｔ２が経過するまで、ステップＳ３２→Ｓ３３→Ｓ３２の処理が繰り返し実行される。なお、本実施形態においては、機能水吐出時間Ｔ２は１０秒である。
【０１１１】
図１３に示すタイムチャートの例では、時刻ｔ６４において電解水の吐出が開始された後、第１の吐水部４ａからの吐水が行われることなく所定の機能水吐出時間Ｔ２が経過している。時刻ｔ６５において機能水吐出時間Ｔ２が経過すると、図１２のフローチャートにおける処理は、ステップＳ３２からステップＳ３４に移行する。ステップＳ３４においては、機能水用電磁弁３０が閉弁され、次いで、ステップＳ３５においては電解槽３８への通電が停止される。さらに、ステップＳ３６においては積算されていた作業待ち時間の積算時間がゼロにリセットされ、ステップＳ３７においては待機時間の積算時間がゼロにリセットされる。次いで、ステップＳ３８においては機能水吐出時間の積算時間がゼロにリセットされ、図１２に示すフローチャートの１回の処理を終了する。図１２に示すフローチャートの処理終了後（１回の電解水の吐水が終了した後）、第１の吐水部４ａからの吐水が開始されると、再び図１２のフローチャートの処理がステップＳ２１から開始される。
【０１１２】
次に、図１２及び図１４を参照して、コントローラ４０による制御の他の例を説明する。
図１４に示す例では、時刻ｔ６６において第１の吐水部４ａからの吐水が開始されると、図１２に示すフローチャートの処理が開始され、そのステップＳ２１において、作業待ち時間の積算が開始される。さらに、時刻ｔ６８において第１の吐水部４ａからの吐水が停止されると、図１２のフローチャートにおける処理がステップＳ２２からステップＳ２３に移行する。
【０１１３】
テップＳ２３においては、ステップＳ２１において積算が開始された作業待ち時間が所定の作業相当時間τ１に到達したか否かが判断される。図１４に示す例では、時刻ｔ６８において第１の吐水部４ａからの吐水が停止されよりも前の、時刻ｔ６７において所定の作業相当時間τ１が既に経過しているので、図１２のフローチャートにおける処理はステップＳ２３からステップＳ２６に移行する。
【０１１４】
次いで、時刻ｔ６８の後、所定の待機時間Ｔ１が経過するまでステップＳ２６→Ｓ２７→Ｓ２６の処理が繰り返される。さらに、時刻ｔ６９において所定の待機時間Ｔ１が経過すると、図１２のステップＳ３０以下において第２の吐水部４ｂからの電解水の吐出が実行される。時刻ｔ７０において所定の機能水吐出時間Ｔ２が経過すると、ステップＳ３４〜Ｓ３８の処理が実行され、図１２に示すフローチャートの１回の処理を終了する。
【０１１５】
次に、図１２及び図１５を参照して、コントローラ４０による制御の更に別の例を説明する。
図１５に示す例では、時刻ｔ７１において第１の吐水部４ａからの吐水が開始されると、図１２に示すフローチャートの処理が開始され、そのステップＳ２１において、作業待ち時間の積算が開始される。さらに、時刻ｔ７２において第１の吐水部４ａからの吐水が停止されると、図１２のフローチャートにおける処理がステップＳ２２からステップＳ２３に移行する。
【０１１６】
時刻ｔ７２において吐水が停止された後は、図１２のフローチャートにおけるステップＳ２３→Ｓ２４→Ｓ２３の処理が繰り返される。次いで、時刻ｔ７１において積算が開始された作業待ち時間が所定の作業相当時間τ１に到達する前の、時刻ｔ７３において第１の吐水部４ａからの吐水が再開されると、図１２のフローチャートにおける処理は、ステップＳ２４からステップＳ２５に移行する。ステップＳ２５においては、時刻ｔ７１において積算が開始された作業待ち時間がリセットされてゼロとなる。さらに、図１２のフローチャートにおける処理はステップＳ２１に戻り、ステップＳ２１においては、時刻ｔ７３からの作業待ち時間の積算が、ゼロから開始される。
【０１１７】
以降、第１の吐水部４ａからの吐水が新たに開始されることなく、時刻ｔ７５において所定の作業相当時間τ１が経過すると、所定の待機時間Ｔ１（時刻ｔ７５〜ｔ７６）を経て、所定の機能水吐出時間Ｔ２（時刻ｔ７６〜ｔ７７）に亘って電解水を吐出して、図１２に示すフローチャートの１回の処理を終了する。このように、本実施形態においては、所定の作業相当時間τ１の経過を待っている間に、第１の吐水部４ａからの吐水が開始されると（時刻ｔ７３）、作業待ち時間の積算がゼロから新たに開始される。作業待ち時間の積算中に、第１の吐水部４ａからの吐水が新たに開始されることなく、所定の作業相当時間τ１が経過すると、待機時間の積算以降の処理が実行される。
【０１１８】
次に、図１２及び図１６を参照して、コントローラ４０による制御の更に別の例を説明する。
図１６に示す例では、時刻ｔ７８において第１の吐水部４ａからの吐水が開始されると、図１２に示すフローチャートの処理が開始され、そのステップＳ２１において、作業待ち時間の積算が開始される。さらに、時刻ｔ７９において第１の吐水部４ａからの吐水が停止されると、図１２のフローチャートにおける処理がステップＳ２２からステップＳ２３に移行する。
【０１１９】
続いて、時刻ｔ８０において、時刻ｔ７８から積算が開始された作業待ち時間が、所定の作業相当時間τ１に到達すると、図１２のフローチャートにおける処理はステップＳ２３からステップＳ２６に移行する。これにより、時刻ｔ８０から待機時間の積算が開始され、図１２のフローチャートにおいてはステップＳ２６→Ｓ２７→Ｓ２６の処理が繰り返される。
【０１２０】
さらに、図１６に示す例では、時刻ｔ８０から積算が開始された待機時間が所定の待機時間Ｔ１に到達する前の、時刻ｔ８１において第１の吐水部４ａからの吐水が再開されている。これにより、図１２のフローチャートにおける処理は、ステップＳ２７からステップＳ２８に移行する。ステップＳ２８においては作業待ち時間がゼロにリセットされ、続くステップＳ２９においては待機時間がゼロにリセットされ、図１２のフローチャートにおける処理がステップＳ２１に戻る。これにより、作業待ち時間の積算が、時刻ｔ８１から、新たにゼロから開始される。
【０１２１】
以降、時刻ｔ８３において所定の作業相当時間τ１が経過し、時刻ｔ８３から待機時間の積算が開始される。さらに、第１の吐水部４ａからの吐水が開始されることなく、時刻ｔ８４において所定の待機時間Ｔ１が経過し、所定の機能水吐出時間Ｔ２（時刻ｔ８４〜ｔ８５）に亘って電解水を吐出して、図１２に示すフローチャートの１回の処理を終了する。このように、本実施形態においては、所定の待機時間Ｔ１の経過を待っている間に、第１の吐水部４ａからの吐水が開始されると（時刻ｔ８１）、作業待ち時間、及び待機時間がゼロにリセットされる。待機時間の積算中に、第１の吐水部４ａからの吐水が新たに開始されることなく、所定の待機時間Ｔ１が経過すると、機能水吐出時間の積算以降の処理が実行される。
【０１２２】
次に、図１２及び図１７を参照して、コントローラ４０による制御の更に別の例を説明する。
図１７に示す例では、時刻ｔ８６において第１の吐水部４ａからの吐水が開始されると、図１２に示すフローチャートの処理が開始され、そのステップＳ２１において、作業待ち時間の積算が開始される。さらに、時刻ｔ８７において第１の吐水部４ａからの吐水が停止されると、図１２のフローチャートにおける処理がステップＳ２２からステップＳ２３に移行する。
【０１２３】
続いて、時刻ｔ８８において、時刻ｔ８６から積算が開始された作業待ち時間が、所定の作業相当時間τ１に到達すると、図１２のフローチャートにおける処理はステップＳ２３からステップＳ２６に移行する。これにより、時刻ｔ８８から待機時間の積算が開始され、図１２のフローチャートにおいてはステップＳ２６→Ｓ２７→Ｓ２６の処理が繰り返される。
【０１２４】
さらに、図１７に示す例では、時刻ｔ８８から積算が開始された待機時間が、時刻ｔ８９において所定の待機時間Ｔ１に到達すると、図１２のフローチャートにおける処理はステップＳ２６からステップＳ３０に移行する。ステップＳ３０においては機能水用電磁弁３０が開弁され、次いで、ステップＳ３１においては、電解槽３８の電極（図示せず）に電圧が付与される。これにより、第２の吐水部４ｂからの機能水の吐水が開始されると共に、時刻ｔ８９から機能水吐出時間の積算が開始される。この際、図１２のフローチャートにおいてはステップＳ３２→Ｓ３３→Ｓ３２の処理が繰り返される。
【０１２５】
次に、図１７の例では、時刻ｔ８９から積算が開始された機能水吐出時間が所定の機能水吐出時間Ｔ２に到達する前の、時刻ｔ９０において第１の吐水部４ａからの吐水が再開されている。これにより、図１２のフローチャートにおける処理は、ステップＳ３３からステップＳ３９に移行する。ステップＳ３９においては、機能水用電磁弁３０が閉弁されると共に、電解槽３８への通電が停止される。さらに、ステップＳ４０においては作業待ち時間の積算時間がゼロにリセットされ、ステップＳ４１においては待機時間の積算時間がゼロにリセットされる。加えて、ステップＳ４１においては機能水吐出時間の積算時間もゼロにリセットされ、フローチャートにおける処理は、ステップＳ２１に戻る。
【０１２６】
以降、時刻ｔ９０から新たに積算が開始された作業待ち時間が、時刻ｔ９２において所定の作業相当時間τ１に到達し、時刻ｔ９２から待機時間の積算が開始される。さらに、第１の吐水部４ａからの吐水が開始されることなく、時刻ｔ９３において所定の待機時間Ｔ１が経過し、所定の機能水吐出時間Ｔ２（時刻ｔ９３〜ｔ９４）に亘って電解水を吐出して、図１２に示すフローチャートの１回の処理を終了する。
【０１２７】
このように、本実施形態においては、所定の機能水吐出時間Ｔ２に亘って電解水を吐出し終わる前に、第１の吐水部４ａからの吐水が開始されると（時刻ｔ９０）、電解水の吐出が中止されると共に、作業待ち時間、待機時間、及び機能水吐出時間がゼロにリセットされる。このため、時刻ｔ８９〜ｔ９０の間には電解水の吐出が行われているものの、途中でそれが中止された場合には、改めて所定の機能水吐出時間Ｔ２に亘って電解水の吐出が実行される。
【０１２８】
本発明の第３実施形態の洗面台によれば、作業待ち工程の実行中において、止水状態に移行し（図１５のｔ７２）、その後、再び吐水状態に変化（図１５のｔ７３）した場合には、作業待ち工程が再実行（図１５のｔ７３〜）される。このため、作業待ち工程を比較的短い時間（例えば、３０分以下）に設定した場合であっても、使用者が１回の洗面台の使用を終了する前に機能水の吐水が実行されてしまい、機能水が浪費されるのを防止することができる。
【０１２９】
また、本実施形態の洗面台によれば、作業待ち工程の終了時（図１４のｔ６７）において、第１の吐水部４ａが吐水状態である場合には、第１の吐水部４ａが止水状態となった（図１４のｔ６８）後、第２の吐水部４ｂからの吐水が実行される（図１４のｔ６９）ので、第１の吐水部４ａからの水道水と機能水が同時に吐水され、機能水が無駄に消費されるのを防止することができる。
【０１３０】
さらに、本実施形態の洗面台によれば、作業待ち工程の終了（図１４のｔ６７）後に、第１の吐水部４ａが止水状態となった（図１４のｔ６８）場合には、所定の待機時間Ｔ１の経過を待って第２の吐水部４ｂからの吐水が開始される（図１４のｔ６９）ので、使用者が第１の吐水部４ａからの吐水を停止させた後、すぐに吐水を再開させた場合等に、不要な機能水が吐水されてしまうのを防止することができる。
【０１３１】
また、本実施形態の洗面台によれば、第２の吐水部４ｂからの吐水中に、第１の吐水部４ａが吐水状態となった（図１７のｔ９０）場合には、第２の吐水部４ｂからの吐水が停止されるので、第１の吐水部４ａからの水と機能水が同時に吐水され、機能水が無駄に消費されるのを防止することができる。また、第１の吐水部４ａが止水された（図１７のｔ９１）後、再び第２の吐水部４ｂからの吐水が開始される（図１７のｔ９３）ので、確実に機能水の吐水が実行され、雑菌の繁殖を抑制することができる。
【０１３２】
次に、図１８乃至図２２を参照して、本発明の第４実施形態による洗面台を説明する。
本実施形態の洗面台は、コントローラ４０による制御が上述した第１実施形態とは異なる。従って、ここでは、本実施形態の、第１実施形態とは異なる点のみを説明し、同様の構成、作用、効果については説明を省略する。図１８は、コントローラ４０により実行される制御フローチャートである。図１９乃至図２２は、コントローラ４０による制御の一例を示すタイムチャートである。
【０１３３】
また、上述した本発明の第３実施形態においては、第１の吐水部４ａからの吐水が開始されたとき作業待ち工程が開始され、一旦所定の作業相当時間τ１が経過した後であっても、その後、第１の吐水部４ａからの吐水が行われた場合には、もう一度初めから作業待ち時間の積算が行われていた。本実施形態においては、第１の吐水部４ａからの吐水が停止されたとき、作業待ち工程が開始される点が、上述した第３実施形態とは異なっている。
【０１３４】
まず、図１９に示すタイムチャートの時刻ｔ１０１においては、前回の電解水の吐出が終了した後、初めて接近センサ１８が被検知物を検知し、第１の吐水部４ａからの吐水が開始されている。さらに、時刻ｔ１０２においてこの吐水が停止され、これにより、図１８に示すフローチャートの処理が開始され、そのステップＳ５１が実行される。ステップＳ５１においては、作業待ち時間の積算が開始される。
【０１３５】
次いで、図１８のステップＳ５２においては、時刻ｔ１０２において積算が開始された作業待ち時間が所定の作業相当時間τ１に到達したか否かが判断される。所定の作業相当時間τ１が経過していない場合には、ステップＳ５３に進み、ステップＳ５３においては第１の吐水部４ａからの吐水が行われているか否かが判断される。
【０１３６】
第１の吐水部４ａからの吐水が行われていない場合には、処理がステップＳ５２に戻る。従って、第１の吐水部４ａからの吐水が行われない場合には、所定の作業相当時間τ１が経過するまでステップＳ５２→Ｓ５３→Ｓ５２の処理が繰り返される。なお、本実施形態においては、所定の作業相当時間τ１は５分である。
【０１３７】
図１９に示すタイムチャートの例では、時刻ｔ１０３において所定の作業相当時間τ１が経過している。所定の作業相当時間τ１が経過すると、フローチャートの処理はステップＳ５５以下に移行する。ステップＳ５５においては機能水用電磁弁３０が開弁され、次いで、ステップＳ５６においては、電解槽３８の電極（図示せず）に電圧が付与される。これにより、生成された電解水は、ミスト状にされて、第２の吐水部４ｂからボウル部２に噴霧される。
【０１３８】
次いで、図１８のステップＳ５７においては、機能水用電磁弁３０が開弁された後（図１９の時刻ｔ１０３の後）、所定の機能水吐出時間Ｔ２が経過したか否かが判断される。機能水吐出時間Ｔ２が経過した場合にはステップＳ５９に進み、経過していない場合にはステップＳ５８に進む。ステップＳ５８においては、第１の吐水部４ａからの吐水が行われているかが判断され、吐水が行われていない場合にはステップＳ５７に戻り、吐水が行われている場合にはステップＳ６３に進む。従って、時刻ｔ１０３において機能水用電磁弁３０が開弁された後、接近センサ１８が被検知物を検知していない場合には、機能水吐出時間Ｔ２が経過するまで、ステップＳ５７→Ｓ５８→Ｓ５７の処理が繰り返し実行される。なお、本実施形態においては、機能水吐出時間Ｔ２は１０秒である。
【０１３９】
図１９に示すタイムチャートの例では、時刻ｔ１０３において電解水の吐出が開始された後、第１の吐水部４ａからの吐水が行われることなく所定の機能水吐出時間Ｔ２が経過している。時刻ｔ１０４において機能水吐出時間Ｔ２が経過すると、図１８のフローチャートにおける処理は、ステップＳ５７からステップＳ５９に移行する。ステップＳ５９においては、電解槽３８への通電が停止され、次いで、ステップＳ６０においては機能水用電磁弁３０が閉弁される。さらに、ステップＳ６１においては積算されていた作業待ち時間の積算時間がゼロにリセットされ、ステップＳ６２においては機能水吐出時間の積算時間がゼロにリセットされ、図１８に示すフローチャートの１回の処理を終了する。図１８に示すフローチャートの処理終了後（１回の電解水の吐水が終了した後）、第１の吐水部４ａからの吐水が開始され、この吐水が停止されると、再び図１８のフローチャートの処理がステップＳ５１から開始される。
【０１４０】
このように、本実施形態においては、所定の作業相当時間τ１が経過した時点（時刻ｔ１０３）では、直近の過去に所定の作業相当時間τ１に亘って吐水が停止された状態が続いている（時刻ｔ１０２〜ｔ１０３）。このため、所定の作業相当時間τ１が経過すると、待機時間の経過を待たずに電解水の吐出が開始（時刻ｔ１０３〜）される。
【０１４１】
次に、図１８及び図２０を参照して、コントローラ４０による制御の他の例を説明する。
図２０に示す例では、時刻ｔ１０６において第１の吐水部４ａからの吐水が停止されると、図１８に示すフローチャートの処理が開始され、そのステップＳ５１において、作業待ち時間の積算が開始される。ステップＳ５２においては、ステップＳ５１において積算が開始された作業待ち時間が所定の作業相当時間τ１に到達したか否かが判断され、所定の作業相当時間τ１が経過するまでステップＳ５２→Ｓ５３→Ｓ５２の処理が繰り返される。
【０１４２】
図２０に示す例では、所定の作業相当時間τ１が経過する前の時刻ｔ１０７において第１の吐水部４ａからの吐水が開始されたため、フローチャートにおける処理はステップＳ５３からステップＳ５４に移行する。ステップＳ５４においては、時刻ｔ１０６において積算が開始された作業待ち時間がゼロにリセットされ、図１８に示すフローチャートの１回の処理を終了する。
【０１４３】
また、時刻ｔ１０７において開始された第１の吐水部４ａからの吐水が、時刻ｔ１０９において停止されると、図１８に示すフローチャートの処理が再び最初から開始される。時刻ｔ１０９以降のフローチャートにおける処理は、図１９の時刻ｔ１０２以降の処理と同一であり、時刻ｔ１０９から所定の作業相当時間τ１が経過した時刻ｔ１１０から所定の機能水吐出時間Ｔ２に亘って電解水が吐出され、図１８に示すフローチャートの１回の処理を終了する。
【０１４４】
次に、図１８及び図２１を参照して、コントローラ４０による制御の更に別の例を説明する。
図２１に示す例では、時刻ｔ１１３において第１の吐水部４ａからの吐水が停止されると、図１８に示すフローチャートの処理が開始され、そのステップＳ５１において、作業待ち時間の積算が開始される。これにより、所定の作業相当時間τ１が経過するまでステップＳ５２→Ｓ５３→Ｓ５２の処理が繰り返される。
【０１４５】
図２１に示す例では、所定の作業相当時間τ１が経過する前の時刻ｔ１１４において第１の吐水部４ａからの吐水が開始されたため、フローチャートにおける処理はステップＳ５３からステップＳ５４に移行し、ステップＳ５４においては、作業待ち時間がゼロにリセットされ、図１８に示すフローチャートの１回の処理を終了する。
【０１４６】
また、時刻ｔ１１４において開始された第１の吐水部４ａからの吐水が、時刻ｔ１１５において停止されると、図１８に示すフローチャートの処理が再び最初から開始される。時刻ｔ１１５以降のフローチャートにおける処理は、図１９の時刻ｔ１０２以降の処理と同一であり、時刻ｔ１１５から所定の作業相当時間τ１が経過した時刻ｔ１１６から所定の機能水吐出時間Ｔ２に亘って電解水が吐出され、図１８に示すフローチャートの１回の処理を終了する。
【０１４７】
次に、図１８及び図２２を参照して、コントローラ４０による制御のまた別の例を説明する。
図２２に示す例では、時刻ｔ１１９において第１の吐水部４ａからの吐水が停止されると、図１８に示すフローチャートの処理が開始され、そのステップＳ５１において、作業待ち時間の積算が開始される。これにより、所定の作業相当時間τ１が経過するまでステップＳ５２→Ｓ５３→Ｓ５２の処理が繰り返される。
【０１４８】
図２２に示す例では、時刻ｔ１２０において所定の作業相当時間τ１が経過し、フローチャートにおける処理はステップＳ５２からステップＳ５５に移行する。ステップＳ５５においては機能水用電磁弁３０が開弁され、次いで、ステップＳ５６においては、電解槽３８の電極（図示せず）に電圧が付与される。これにより、生成された電解水は、ミスト状にされて、第２の吐水部４ｂからボウル部２に噴霧される。
【０１４９】
次いで、図１８のステップＳ５７においては、機能水用電磁弁３０が開弁された後（図２２の時刻ｔ１２０の後）、所定の機能水吐出時間Ｔ２が経過したか否かが判断される。以降、所定の機能水吐出時間Ｔ２が経過するまで、ステップＳ５７→Ｓ５８→Ｓ５７の処理が繰り返し実行される。
【０１５０】
図２２に示す例では、所定の機能水吐出時間Ｔ２が経過する前の時刻ｔ１２１において第１の吐水部４ａからの吐水が開始されたため、フローチャートにおける処理はステップＳ５８からステップＳ６３に移行する。ステップＳ６３においては、電解槽３８への通電が停止され、次いで、ステップＳ６４においては機能水用電磁弁３０が閉弁される。さらに、ステップＳ６５においては積算されていた作業待ち時間の積算時間がゼロにリセットされ、ステップＳ６６においては機能水吐出時間の積算時間がゼロにリセットされ、図１８に示すフローチャートの１回の処理を終了する。
【０１５１】
また、時刻ｔ１２１において開始された第１の吐水部４ａからの吐水が、時刻ｔ１２３において停止されると、図１８に示すフローチャートの処理が再び最初から開始される。時刻ｔ１２３以降のフローチャートにおける処理は、図１９の時刻ｔ１０２以降の処理と同一であり、時刻ｔ１２３から所定の作業相当時間τ１が経過した時刻ｔ１２４から所定の機能水吐出時間Ｔ２に亘って電解水が吐出され、図１８に示すフローチャートの１回の処理を終了する。
【０１５２】
なお、本実施形態において、時刻ｔ１２１に開始された第１の吐水部４ａからの吐水が、時刻ｔ１２０から所定の機能水吐出時間Ｔ２後の時刻ｔ１２２よりも前に停止された場合であっても、その時点（時刻ｔ１２２よりも前の時点）から新たな作業待ち時間の積算が開始される。
【０１５３】
本発明の第４実施形態の洗面台によれば、作業待ち工程の実行中において、吐水状態に移行し（図２０のｔ１０７、図２１のｔ１１４）、その後、再び止水状態に変化（図２０のｔ１０９、図２１のｔ１１５）した場合には、作業待ち工程が再実行される。このため、作業待ち工程を比較的短い時間（例えば３０分以下）に設定した場合であっても、使用者が１回の洗面台の使用を終了する前に機能水の吐水が実行されてしまい、機能水が浪費されるのを防止することができる。
【０１５４】
また、本実施形態の洗面台によれば、第２の吐水部４ｂからの吐水中に、第１の吐水部４ａが吐水状態となった場合（図２２のｔ１２１）には、第２の吐水部４ｂからの吐水が停止されるので、第１の吐水部４ａからの水と機能水が同時に吐水され、機能水が無駄に消費されるのを防止することができる。また、第１の吐水部４ａが止水された（図２２のｔ１２３）後、再び第２の吐水部４ｂからの吐水が開始（図２２のｔ１２４）されるので、確実に機能水の吐水が実行され、雑菌の繁殖を抑制することができる。
【０１５５】
以上、本発明の好ましい実施形態を説明したが、上述した実施形態に種々の変更を加えることができる。特に、上述した第１、第３実施形態においては、コントローラ４０は、接近センサ１８が被検知物の接近を検知していない非検知状態から、検知している検知状態に変化したとき、第１の吐水部４ａが止水状態から吐水状態に変化したと判断している。また、第２、第４実施形態においては、コントローラ４０は、接近センサ１８が被検知物の接近を検知している検知状態から、検知していない非検知状態に変化したとき、第１の吐水部４ａが吐水状態から止水状態に変化したと判断している。しかしながら、止水状態と吐水状態の間の変化を、他の情報に基づいて検知するように本発明を構成することもできる。例えば、水用電磁弁２８ａ及び／又は湯用電磁弁２８ｂの開閉に基づいて止水状態と吐水状態の間の変化を検知したり、第１の吐水部４ａからの吐水、止水を検知するセンサを別に設けておき、このセンサの検出信号に基づいて止水状態と吐水状態の間の変化を検知したりすることもできる。
【０１５６】
また、上述した実施形態においては、接近センサ１８により被検知物が検出されると吐水する自動水栓を備えた洗面台に本発明が適用されていたが、変形例として、手動式の水栓装置を備えた洗面台に本発明を適用することもできる。
【０１５７】
図２３は、本変形例の洗面台における、水栓装置の操作部を示す図である。
本変形例においては、使用者が図２３に示す操作部を手動で操作することにより、開閉弁（図示せず）が開閉され、吐水、止水を切り換えることができる。図２３に示すように、本変形例における操作部５０は、ベース部５２と、このベース部５２に回動可能に取り付けられた操作レバー５４と、を有する。操作レバー５４が実線に示す閉位置にあるとき、水栓装置は止水状態とされ、操作レバー５４が想像線で示す開位置に回動されると、吐水が開始されるように構成されている。
【０１５８】
また、操作レバー５４には、マグネット５４ａが埋め込まれている。一方、ベース部５２には、マグネット５４ａと対向する位置に、磁気センサであるホール素子５２ａが埋め込まれている。これにより、操作レバー５４が閉位置にある状態では、ホール素子５２ａはマグネット５４ａの磁気を検出する。これに対して、操作レバー５４が開位置に回動されると、マグネット５４ａはホール素子５２ａと対向しなくなり、ホール素子５２ａはマグネット５４ａの磁気を検出しなくなる。このため、ホール素子５２ａは吐水センサとして機能し、コントローラ４０は、ホール素子５２ａによる検出信号に基づいて、吐水の開始又は終了を検知する。また、この情報に基づいてコントローラ４０は、図５のステップＳ１、図１２のステップＳ２１、図１８のステップＳ５１における作業待ち時間のカウント開始、図５のステップＳ３、Ｓ９、図１２のステップＳ２４、Ｓ２７，Ｓ３３、図１８のステップＳ５３、Ｓ５８における吐水の有無の判断を行うことができる。本変形例によれば、手動式の水栓装置を有する洗面台にも本発明を適用することができる。
【符号の説明】
【０１５９】
１    本発明の実施形態による洗面台
２    ボウル部
２ａ  排水口
４    水栓装置ユニット
４ａ  第１の吐水部
４ｂ  第２の吐水部
６    下部キャビネット
８    上部キャビネット
１０    流調・温調バルブ
１０ａ  操作レバー
１２    操作スイッチ
１４    タッチスイッチ
１６    照明用ＬＥＤ
１８    接近センサ
２０ａ  給水管
２０ｂ  給湯管
２２ａ  止水栓
２２ｂ  止水栓
２４ａ  フィルタ
２４ｂ  フィルタ
２８ａ  水用電磁弁（水道水用電磁弁）
２８ｂ  湯用電磁弁（水道水用電磁弁）
３０    機能水用電磁弁
３２    調圧弁
３４    安全弁
３６    逆止弁
３８    電解槽
４０    コントローラ（制御部）
４２    ＡＣ電源
５０    操作部
５２    ベース部
５２ａ  ホール素子
５４    操作レバー
５４ａ  マグネット
【図１】
2018084137.tif 000003
【図２】
2018084137.tif 000004
【図３】
2018084137.tif 000005
【図４】
2018084137.tif 000006
【図５】
2018084137.tif 000007
【図６】
2018084137.tif 000008
【図７】
2018084137.tif 000009
【図８】
2018084137.tif 000010
【図９】
2018084137.tif 000011
【図１０】
2018084137.tif 000012
【図１１】
2018084137.tif 000013
【図１２】
2018084137.tif 000014
【図１３】
2018084137.tif 000015
【図１４】
2018084137.tif 000016
【図１５】
2018084137.tif 000017
【図１６】
2018084137.tif 000018
【図１７】
2018084137.tif 000019
【図１８】
2018084137.tif 000020
【図１９】
2018084137.tif 000021
【図２０】
2018084137.tif 000022
【図２１】
2018084137.tif 000023
【図２２】
2018084137.tif 000024
【図２３】
2018084137.tif 000025